(57)【要約】      （修正有）【課題】植物毎の生育環境に応じた栽培状態をユーザに対して報知して適切な栽培管理を促すことができる環境管理装置を提供する。【解決手段】植物の周辺環境の状態を示す各種検出値を検出する温度検出部１６、湿度検出部１７、照度検出部１８と、温度検出部１６、湿度検出部１７、照度検出部１８により検出された各種検出値を記憶する第１記憶部１１と、温度検出部１６、湿度検出部１７、照度検出部１８により検出された各種検出値と予め定められた判別基準情報とに基づいて、植物の栽培状態の異常の有無や問題傾向を判別するＣＰＵ１０と、ＣＰＵ１０による植物の栽培状態の判別結果に応じて、植物の栽培状態を報知する表示灯１４、鳴動部１５と、外部装置２ａから供給される誘導電磁界又は電波により生じる電力供給に応じて第１記憶部１１に記憶されている各種検出値を当該外部装置２ａに送信する第１通信部１２とを備える植物管理装置１ａで構成する。【選択図】図１
2014076060.tif 000002
【特許請求の範囲】
【請求項１】
周囲環境の管理を行う環境管理装置であって、
周囲環境を時系列で順次検出する検出手段と、
この検出手段で検出された周囲環境の検出値をその検出時の時間と対応付けて履歴として記憶する記憶手段と、
外部装置からの要求があった際に、前記記憶手段に記憶された検出値の履歴を当該外部装置に対して送信する送信手段と、
を具備したことを特徴とする環境管理装置。
【請求項２】
周囲環境の管理を行う環境管理装置であって、
周囲環境を時系列で順次検出する検出手段と、
この検出手段で検出された周囲環境の検出値をその検出時の時間に対応する環境基準値と比較する比較手段と、
この比較手段による比較結果の情報を履歴として記憶する記憶手段と、
外部装置からの要求があった際に、前記記憶手段に記憶された検出値の履歴を当該外部装置に対して送信する送信手段と、
を具備したことを特徴とする環境管理装置。
【請求項３】
前記外部装置から要求は、その外部装置からの電力供給を受けた際の要求であり、
前記送信手段は、その電力供給を受けた外部装置に対して前記履歴を送信する、
ことを特徴とする請求項１あるいは２に記載の環境管理装置。
【請求項４】
前記検出手段で検出した周囲環境の環境値が、その対象物の環境として危険状態の環境値であるか否かを判別する判別手段と、
この判別手段で危険状態にあると判別された場合には、そのことを直ちに報知する報知手段と、
を更に具備したことを特徴とする請求項１乃至３の何れか１項に記載の環境管理装置。
【請求項５】
周囲環境の管理を行う環境管理装置のコンピュータを制御するためのプログラムであって、
前記コンピュータを、
周囲環境を時系列で順次検出する検出手段、
この検出手段で検出された周囲環境の検出値をその検出時の時間と対応付けて履歴として記憶する記憶手段、
外部装置からの要求があった際に、前記記憶手段に記憶された検出値の履歴を当該外部装置に対して送信する送信手段、
として機能させるようにしたコンピュータ読み取り可能なプログラム。
【請求項６】
周囲環境の管理を行う環境管理装置のコンピュータを制御するためのプログラムであって、
前記コンピュータを、
周囲環境を時系列で順次検出する検出手段、
この検出手段で検出された周囲環境の検出値をその検出時の時間に対応する環境基準値と比較する比較手段、
この比較手段による比較結果の情報を履歴として記憶する記憶手段、
外部装置からの要求があった際に、前記記憶手段に記憶された検出値の履歴を当該外部装置に対して送信する送信手段、
として機能させるようにしたコンピュータ読み取り可能なプログラム。
【発明の詳細な説明】
【技術分野】
【０００１】
本発明は、周囲環境を管理する環境管理装置に関する。
【背景技術】
【０００２】
近年、植物の自動的な栽培及び管理を行う技術として、例えば、潅水管理と肥料供給の管理とを、明るさセンサにより感知された夜明け及び日没の時刻に基づいて潅水の開始時刻及び終了時刻を設定し、当該設定された潅水の開始時刻から終了時刻までの間、土壌水分センサによる土壌水分判定の結果に応じて潅水を行い、また、ＥＣセンサーによる植物体中の養分濃度判定結果に応じて液肥を給液する全自動植物栽培制御装置が開示されている（特許文献１参照）。
【０００３】
また、植物毎の品種名や管理方法を紙等のラベルに記載して表示する代わりに、紙等のラベルに比べて優れた機能（読み書き可能なこと、データ収容能力が高いこと、汚れに強いこと等）を有し、各植物のＩＤ・品種名・価格等を記憶したメモリを有するＩＣチップとアンテナコイルとを備えアンチ・コリジョン機能に対応した電磁誘導式のＲＦＩＤ（Radio Frequency Identification）タグを利用した技術が開示されている。
【０００４】
例えば、ＲＦＩＤタグを有する園芸用ラベルと、当該ＲＦＩＤタグと通信を行い園芸用ラベルを備えた鉢植え植物の栽培データの書き込み及び読み出しを行うリーダ／ライタと、栽培管理データベースを記憶する記憶手段と、栽培データと栽培管理データベースとから植物の栽培管理を適宜促す栽培管理告知手段と、を備え、園芸植物の栽培管理に必要な各植物の情報を長期間保持可能とし、かつ、情報の記入や消去を安価で手軽に行う園芸管理システムが開示されている（特許文献２参照）。
【０００５】
種又は苗と土壌が収容された容器の内部又は外表面に備えられ、容器内の種又は苗に関する情報を記録する記録部と、外部機器と無線で情報を送受信する送受信部とを有する非接触型ＩＤタグと、ＩＤタグに記録された情報の読み取り及び書き込みを行う携帯型のリーダライタと、リーダライタとデータ交信可能であり、種又は苗生育のためのスケジュール管理及びロケーション管理を行う情報処理装置と、を備えた種苗育成管理システムが開示されている（特許文献３参照）。
【先行技術文献】
【特許文献】
【０００６】
【特許文献１】特開２００５−１１７９９９号公報
【特許文献２】特開２００５−３１２３８４号公報
【特許文献３】特開２００１−０７８５７５号公報
【発明の概要】
【発明が解決しようとする課題】
【０００７】
しかしながら、特許文献１のような植物の栽培及び管理を行う装置は、配置位置が固定的な植物の栽培目的に限られる。また、大規模な各種栽培装置（ポンプ等）が必要となる業務用の技術であり、生花店等での植物の陳列配置の移動が多い場合には適用することが困難であるという問題がある。
【０００８】
また、特許文献２及び３のようなＲＦＩＤタグを利用した植物の栽培管理を行う装置は、ＲＦＩＤタグから送信される情報を参照して、ユーザ自身が各植物の栽培状態を判断して管理するものにすぎず、各植物の栽培状態を適切に判断することが困難であった。
【０００９】
本発明の課題は、周囲環境の管理を適切に行えるようにすることにある。  
【課題を解決するための手段】
【００１０】
請求項１記載の発明は、周囲環境の管理を行う環境管理装置であって、周囲環境を時系列で順次検出する検出手段と、この検出手段で検出された周囲環境の検出値をその検出時の時間と対応付けて履歴として記憶する記憶手段と、外部装置からの要求があった際に、前記記憶手段に記憶された検出値の履歴を当該外部装置に対して送信する送信手段と、を具備したことを特徴とする。
【００１１】
請求項２記載の発明は、周囲環境の管理を行う環境管理装置であって、周囲環境を時系列で順次検出する検出手段と、この検出手段で検出された周囲環境の検出値をその検出時の時間に対応する環境基準値と比較する比較手段と、この比較手段による比較結果の情報を履歴として記憶する記憶手段と、外部装置からの要求があった際に、前記記憶手段に記憶された検出値の履歴を当該外部装置に対して送信する送信手段と、を具備したことを特徴とする。  
【発明の効果】
【００１２】
本発明によれば、周囲環境の管理を適切に行うことが可能となる。
【図面の簡単な説明】
【００１３】
【図１】本実施の形態１における植物管理装置１ａの構成を示すブロック図である。
【図２】第１記憶部１１に記憶されている各種データの例である。
【図３】本実施の形態１における栽培状態判別処理のフローチャートである。
【図４】本実施の形態１における通信処理のラダーチャートである。
【図５】外部装置２ａの操作表示部２２の表示画面上に表示される警告番号又はアドバイス番号に対応するメッセージ画面の例である。
【図６】本実施の形態２における植物管理システムＡの構成を示すブロック図である。
【図７】第１記憶部１１に記憶されている各種データの例である。
【図８】ＤＢ３２に記憶されている各種データの例である。
【図９】本実施の形態２における栽培状態判別処理のフローチャートである。
【図１０】本実施の形態２における通信処理のラダーチャートである。
【発明を実施するための形態】
【００１４】
以下、図を参照して本発明の実施の形態を詳細に説明する。なお、この発明にはこの実施の形態に限定されるものではない。また、この発明の実施の形態は、発明の最も好ましい形態を示すものであり、この発明の用語はこれに限定されない。
【００１５】
［実施の形態１］
以下、図１〜５を参照して本発明の実施の形態１を詳細に説明する。
本実施の形態１では、本発明の植物管理装置を生花店等に陳列される植物毎に設けられた園芸用ラベルに適用した場合について説明する。
【００１６】
まず、構成を説明する。
図１は、本実施の形態１における植物管理装置１ａの構成を示すブロック図を示す。
図１に示すように、植物管理装置１ａは、ＣＰＵ（Central Processing Unit）１０、第１記憶部１１、第１通信部１２、クロック発生部１３、表示灯１４、鳴動部１５、温度検出部１６、湿度検出部１７、照度検出部１８を備え、各部は電気的に接続されており、第１通信部１２を除く各部は第１電源部１９からの電源供給を受けている。また、植物管理装置１ａは、外部装置２ａから供給される誘導電磁界又は電波により生じる電力供給に応じて第１通信部１２を介して外部装置２ａと通信可能に接続される。なお、温度検出部１６、湿度検出部１７、照度検出部１８を総称して検出部という。
【００１７】
ＣＰＵ１０は、第１記憶部１１の所定領域を作業領域として、第１記憶部１１に記憶されている各種制御プログラムやデータに基づいて各種処理を実行し、上記各部に制御信号を送って植物管理装置１ａの動作全般を統括的に制御する。
【００１８】
また、ＣＰＵ１０は、温度検出部１６、湿度検出部１７、照度検出部１８により検出された各種検出値（温度、湿度、照度）と予め定められた判別基準情報とに基づいて、植物の栽培状態を判別する判別手段としての機能を実現し、当該植物の栽培状態の判別結果に応じた植物の栽培状態を表示灯１４又は鳴動部１５により報知させる機能を実現する。更に、ＣＰＵ１０は、外部装置２ａから供給される誘導電磁界又は電波により生じる電力供給に応じて、第１記憶部１１に記憶されている各種検出値や第１記憶部１１に記憶されている植物の栽培状態を、第１通信部１２を介して当該外部装置２ａに送信させる。
【００１９】
ＣＰＵ１０は、植物の栽培状態の判別を行う場合、温度検出部１６、湿度検出部１７、照度検出部１８により検出された各種検出値と、第１記憶部１１に予め記憶されている限界上限閾値及び限界下限閾値と、を比較して現在の植物の栽培状態の異常有無を判別し、現在の植物の栽培状態に異常有りと判別した場合には植物の栽培状態の異常状態を表示灯１４又は鳴動部１５を駆動させて報知させる。また、温度検出部１６、湿度検出部１７、照度検出部１８により検出された各種検出値の履歴と、当該検出値の履歴に対応する第１記憶部１１に予め記憶されている最適上限閾値及び最適下限閾値と、を比較して植物の栽培状態の問題傾向を判別する。
【００２０】
従って、植物が生育するために最低限必要とされる周辺環境の状態（限界上限閾値及び限界下限閾値）と、検出された植物の周辺環境の状態（検出された各種検出値）とを比較することにより、現在の植物の栽培状態の異常の有無を判別することができ、現在の栽培状態に異常が有る場合、当該異常状態をユーザに報知することができるため、植物が生育するために最低限必要とされる周辺環境の状態確保の必要性をユーザに促すことができる。
【００２１】
また、植物が生育するために最適な周辺環境の状態（最適下限閾値及び最適上限閾値）と、検出された植物の周辺環境の状態の履歴（各種検出値の履歴）とを比較することにより、植物の栽培状態の問題傾向を判別することができる。
【００２２】
第１記憶部１１は、ＣＰＵ１０により実行される各種制御処理プログラム及びこれらプログラムで使用される各種データ等が予め記憶されている領域と、当該制御処理プログラムや各種データが展開される領域とを有する記録媒体である。第１記憶部１１は、磁気的、光学的記録媒体又は半導体等の電気的に消去及び書き換えが可能な不揮発性メモリで構成されており、植物管理装置１ａに固定的に設けられたもの又は着脱自在に装着されるものである。例えば、ＦｅＲＡＭ（Ferro electric Random Access Memory）、ＭＲＡＭ（Magneto resistive Random Access Memory）、ＯＵＭ（カルコゲニド合金による相変化記録メモリ）等を挙げることができる
【００２３】
第１記憶部１１は、温度検出部１６、湿度検出部１７、照度検出部１８によりそれぞれ検出された各種検出値を時系列に順次記憶、即ち、検出値の履歴（センサログ）として記憶する環境情報記憶手段、ＣＰＵ１０により判別された植物の栽培状態を記憶する栽培状態記憶手段としての機能を実現する。
【００２４】
また、第１記憶部１１は、判別基準情報として、植物に対応して定められ、当該植物が生育するために最低限必要とされる周辺環境の状態を示す生育限界環境情報としての限界上限閾値及び限界下限閾値を予め記憶している生育限界環境情報記憶手段、判別基準情報として、植物に対応して定められ、当該植物が生育するために最適な周辺環境の状態を示す最適環境情報としての最適上限閾値及び最適下限閾値を予め記憶している最適環境情報記憶手段、としての機能を実現する。
【００２５】
限界上限閾値及び限界下限閾値とは、植物の生育が継続できない（即ち、植物が枯れない）臨界的な環境状態であり、植物の品種に応じて、検出部毎に定めることができる。最適上限閾値及び最適下限閾値とは、植物が最もよく生育する環境状態であり、植物の品種に応じて、検出部毎に定めることができる。
【００２６】
図２は、第１記憶部１１に記憶されている各種データの例を示す。
図２に示すように、第１記憶部１１に記憶されている各種データは、植物管理装置１ａを一意に識別するための読み取り専用のＩＤとしてのＵＩＤ（Unique Item identification）１１０、閾値情報１２０ａ、報知番号１３０、センサログ１４０、報知フラグ１５０、販売支援データ１６０等である。
【００２７】
閾値情報１２０ａは、温度検出部１６、湿度検出部１７、照度検出部１８毎に、予め設定された時刻範囲に対して限界下限閾値、限界上限閾値、最適下限閾値、最適上限閾値が予め設定されている。例えば、温度検出部１６は時刻０:００〜６:００の範囲において、限界下限閾値は５［℃］、最適下限閾値は１０［℃］、最適上限閾値は２０［℃］、限界上限閾値は２５［℃］に設定されている。
【００２８】
報知番号１３０は、警告番号テーブル１３１とアドバイス番号テーブル１３２とを有している。
警告番号テーブル１３１は、ＣＰＵ１０により温度検出部１６、湿度検出部１７、照度検出部１８からそれぞれ検出された検出値と対応する限界下限閾値及び限界上限閾値とが比較された結果としての現在の植物の栽培状態の異常状態を示す各種警告番号と当該警告番号の内容（異常状態）を示している。
【００２９】
例えば、温度検出部１６から検出された現在の検出値（温度）が限界下限閾値以下である場合には、低温状態を示す警告番号００１に該当し、一方、現在の検出値が限界上限閾値以上である場合には、高温状態を示す警告番号００２に該当することとなる。また、湿度検出部１７から検出された現在の検出値（湿度）が限界下限閾値以下である場合には、低湿状態を示す警告番号００３に該当し、一方、現在の検出値が限界上限閾値以上である場合には、高湿状態を示す警告番号００４に該当することとなり、照度検出部１８から検出された現在の検出値（照度）が限界下限閾値以下である場合には、低照度状態を示す警告番号００５に該当し、一方、現在の検出値が限界上限閾値以上である場合には、高照度状態を示す警告番号００６に該当することとなる。
【００３０】
アドバイス番号テーブル１３２は、温度検出部１６、湿度検出部１７、照度検出部１８からそれぞれ検出された現在の検出値及び当該現在の検出値と時系列的に連続した過去の検出値の履歴と対応する最適下限閾値及び最適上限閾値とを比較した結果、現在の植物の栽培状態の問題傾向に該当する各種アドバイス番号と当該アドバイス番号の内容（問題傾向）を示している。
【００３１】
例えば、温度検出部１６から検出された現在の検出値（温度）を含む複数の検出値の少なくともいずれか１つの検出値が最適下限閾値以下である場合には、低温傾向を示すアドバイス番号００１に該当し、一方、現在の検出値を含む複数の検出値の少なくともいずれか１つの検出値が最適上限閾値以上である場合には、高温傾向を示すアドバイス番号００２に該当することとなる。
また、湿度検出部１７から検出された現在の検出値（湿度）を含む複数の検出値の少なくともいずれか１つの検出値が最適下限閾値以下である場合には、低湿傾向を示すアドバイス番号００３に該当し、一方、現在の検出値を含む複数の検出値の少なくともいずれか１つの検出値が最適上限閾値以上である場合には、高湿傾向を示すアドバイス番号００４に該当することとなり、照度検出部１８から検出された現在の検出値（照度）を含む複数の検出値の少なくともいずれか１つの検出値が最適下限閾値以下である場合には、低照度傾向を示すアドバイス番号００５に該当し、一方、現在の検出値を含む複数の検出値の少なくともいずれか１つの検出値が最適上限閾値以上である場合には、高照度傾向を示すアドバイス番号００６に該当することとなる。
【００３２】
センサログ１４０は、温度検出部１６、湿度検出部１７、照度検出部１８から夫々予め設定された時間間隔で検出された各種検出値が時系列に順次記憶されている。
【００３３】
報知フラグ１５０は、警告番号フラグテーブル１５１とアドバイス番号フラグテーブル１５２とを有している。
警告番号フラグテーブル１５１は、ＣＰＵ１０により判別された現在の植物の栽培状態の異常状態を示す各種警告番号のフラグであり、植物の栽培状態が各種警告番号の内容に該当する場合には対応する警告番号のフラグが１に設定される。
【００３４】
アドバイス番号フラグテーブル１５２は、ＣＰＵ１０により判別された現在の植物の栽培状態の問題傾向を示す各種アドバイス番号のフラグであり、植物の栽培状態が各種アドバイス番号の内容に該当する場合には対応するアドバイス番号のフラグが１に設定される。
【００３５】
販売支援データ１６０は、植物管理装置１ａが設けられた植物を顧客に販売する際に提示することにより、販売促進可を図り得る情報である。例えば、植物の品種、育て方、価格や開花時期等の販売データ、開花時の画像等を挙げることができる。
【００３６】
第１通信部１２は、第１記憶部１１に記憶されている各種情報を当該外部装置２ａに送信する通信手段としての機能を実現する。本実施の形態１においては、例えば、外部装置２ａから供給される誘導電磁界又は電波により生じる電力供給に応じて、ＣＰＵ１０及び第１記憶部１１と協働して第１記憶部１１に記憶されている各種情報を当該外部装置２ａに送信するＲＦＩＤタグのアンテナ、好ましくはパッシブタグに用いられるアンテナを挙げることができる。なお、第１電源部１９からの電力供給を受けて自ら電波を発するアクティブタグのアンテナであってもよい。
【００３７】
クロック発生部１３は、一定周期のクロック信号を発生してＣＰＵ１０に出力する。ＣＰＵ１０は、クロック発生部１３により発生されるクロック信号と外部装置２ａから送信される現在時刻とに基づいて、現在時刻の調整処理や各種動作のタイミング調整を行う。
【００３８】
表示灯１４は、ＣＰＵ１０による植物の栽培状態の判別結果に応じて、現在の植物の栽培状態に異常有りと判別された場合、植物の栽培状態の異常状態を報知する報知手段を実現する。例えば、各種異常番号に応じて色や点滅状態が予め設定された複数のＬＥＤ（Light Emitting Diode）を挙げることができる。
【００３９】
鳴動部１５は、ＣＰＵ１０による植物の栽培状態の判別結果に応じて、現在の植物の栽培状態に異常有りと判別された場合、植物の栽培状態の異常状態を報知する報知手段を実現する。例えば、各種異常番号に応じて鳴動音が予め設定されたブザーを挙げることができる。
【００４０】
温度検出部１６、湿度検出部１７、照度検出部１８は、それぞれ植物の周辺環境の状態を示す環境情報を検出する検出手段としての機能を実現する。温度検出部１６は植物の周辺環境の温度を検出する温度検出手段、湿度検出部１７は植物の周辺環境の湿度を検出する湿度検出手段、照度検出部１８は植物の周辺環境の照度を検出する照度検出手段としての機能を実現している。なお、温度検出部１６、湿度検出部１７、照度検出部１８は互いを識別する識別番号が付されている。
【００４１】
検出部として、植物の周辺環境の温度を検出する温度検出部１６、植物の周辺環境の湿度を検出する湿度検出部１７、植物の周辺環境の照度を検出する照度検出部１８を用いることができ、植物の生育に影響を与える周辺環境として、温度、湿度、照度の少なくとも一つに基づいて植物の栽培状態を判別することができるため、適切な栽培状態を判別することができる。
【００４２】
本実施の形態１においては、温度検出部１６、湿度検出部１７、照度検出部１８を備えた植物管理装置１ａとして説明するが、植物が鉢植えである場合には当該鉢の土壌の水分量や養分量を検出する検出部であってもよく、植物の種類の生育管理に適した検出部を用いることが好ましい。
【００４３】
第１電源部１９は、植物管理装置１ａの各部に電源の供給を行う装置であり、例えば、乾電池や充電式電池等の蓄電池や、太陽電池を挙げることができる。なお、ユーザによる電池の交換の手間が無く長寿命である太陽電池を用いることが好ましい。更に、太陽電池を第１電源部１９として用いる場合には、発電量を検出し監視することにより、日照量を推定することができるため、照度センサが不要となり、植物管理装置１ａの小型化を図ることができるという効果を奏する。
【００４４】
次に、外部装置２ａの構成を説明する。
外部装置２ａは、植物管理装置１ａから各種情報を読み取り可能なハンディターミナル等と呼ばれる装置であり、図１に示すように、ＣＰＵ２０、第２記憶部２１、操作表示部２２、第２通信部２３、を備え、各部は電気的に接続されており、各部は第２電源部２４からの電源供給を受けている。
【００４５】
ＣＰＵ２０は、第２記憶部２１の所定領域を作業領域として、第２記憶部２１に記憶されている各種制御プログラムやデータに基づいて各種処理を実行し、上記各部に制御信号を送って外部装置２ａの動作全般を統括的に制御する。
【００４６】
またＣＰＵ２０は、第２通信部２３を介して受信した警告番号又はアドレス番号に対応したメッセージを操作表示部２２に表示させる。
【００４７】
第２記憶部２１は、ＣＰＵ２０により実行される各種制御処理プログラム及びこれらプログラムで使用される各種データ等が予め記憶されている領域と、当該制御処理プログラムや各種データが展開される領域とを有する記録媒体である。第２記憶部２１は、磁気的、光学的記録媒体又は半導体等の電気的に消去及び書き換えが可能な不揮発性メモリで構成されており、外部装置２ａに固定的に設けられたもの又は着脱自在に装着されるものである。例えば、ＦｅＲＡＭ（Ferro electric Random Access Memory）、ＭＲＡＭ（Magneto resistive Random Access Memory）、ＯＵＭ（カルコゲニド合金による相変化記録メモリ）等を挙げることができる。
【００４８】
操作表示部２２は、ＬＣＤ（Liquid Crystal Display）等の表示画面を備え、ＣＰＵ２０から入力される表示制御信号に従って所要の表示処理を行うと共に、表示画面を覆うように設けられたタッチパネル、電源キー、テンキー、各種機能キー等を有し、キーの押下による操作信号をＣＰＵ２０に出力する。
【００４９】
第２通信部２３は、植物管理装置１ａの第１記憶部１１に記憶されている各種情報を読み出して受信し、受信した情報をＣＰＵ２０に出力する機能を実現する。本実施の形態１においては、植物管理装置１ａの第１通信部１２に対応する周波数及び無線通信プロトコルを有し、非接触で植物管理装置１ａの第１記憶部１１に記録された情報を読み取る。
【００５０】
第２電源部２４は、外部装置２ａの各部に電源の供給を行う装置であり、例えば、乾電池や充電式電池等の蓄電池や、太陽電池を挙げることができる。なお、ユーザによる電池の交換の手間が無く長寿命である太陽電池を用いることが好ましい。
【００５１】
次に、本実施の形態１の動作を説明する。
図３は、本実施の形態１における栽培状態判別処理を示すフローチャートである。
図３に示す栽培状態判別処理は、ＣＰＵ１０及び第１記憶部１１の協働によるソフトウエア処理により実現される処理である。なお、本処理は、予め設定された時間毎に実行されるものである。
【００５２】
まず、現在の検出値を取得する検出部の識別番号Ｘの初期化（Ｘ＝０）が行われ、識別番号Ｘに１が加算される（ステップＳ１）。そして、識別番号Ｘに対応する検出部から現在の検出値が取得される（ステップＳ２）。また、識別番号Ｘに対応する検出部から現在の検出値が検出された時刻に対応する限界下限閾値、限界上限閾値、最適下限閾値、最適上限閾値、センサログ等が読み出される（ステップＳ３）。
【００５３】
取得された現在の検出値と読み出された限界下限閾値及び限界上限閾値とが比較され（ステップＳ４）、現在の検出値が限界下限閾値よりも大きく限界上限閾値よりも小さいか否かが判別される（ステップＳ５）。
【００５４】
現在の検出値が限界下限閾値よりも大きく限界上限閾値よりも小さくないと判別された場合、即ち、現在の検出値が限界下限閾値以下又は限界上限閾値以上であると判別された場合（ステップＳ５；Ｎｏ）、植物の栽培状態に異常有りと判別される。そして、該当する警告番号が選択され、選択された警告番号に対応するフラグが１に設定される（ステップＳ６）。更に、選択された警告番号に応じて表示灯１４又は鳴動部１５が駆動され、ユーザに植物の栽培状態の異常が報知され（ステップＳ７）、ステップＳ１１に進む。
【００５５】
現在の検出値が限界下限閾値よりも大きく限界上限閾値よりも小さいと判別された場合（ステップＳ５；Ｙｅｓ）、現在の検出値及び当該現在の検出値と時系列的に連続した過去の検出値の履歴と、読み出された最適下限閾値及び最適上限閾値とが比較され（ステップＳ８）、現在の検出値及び複数の過去の検出値全てが最適下限閾値よりも大きく最適上限閾値よりも小さいか否かが判別され、問題傾向の有無が判別される（ステップＳ９）。
【００５６】
問題傾向有りと判別された場合、即ち、現在の検出値及び複数の過去の検出値の少なくともいずれか１つの検出値が最適下限閾値以下又は最適上限閾値以上であると判別された場合（ステップＳ９；Ｎｏ）、問題傾向有りと判別される。そして、該当するアドバイス番号が選択され、選択されたアドバイス番号に対応するフラグが１に設定され（ステップＳ１０）、ステップＳ１１に進む。
【００５７】
検出された現在の検出値がセンサログとして保存されると共に、設定されたフラグが保持され（ステップＳ１１）、検出値が検出されていない検出部の有無が判別され（ステップＳ１２）、未検出の検出部が有りと判別された場合（ステップＳ１２；Ｎｏ）、識別番号Ｘに１が加算され（ステップＳ１３）、ステップＳ２に戻る。
【００５８】
未検出の検出部無しと判別された場合、即ち、すべての検出部の検出値を取得したと判別された場合（ステップＳ１２；Ｙｅｓ）、本処理は終了される。
【００５９】
図４は、本実施の形態１における通信処理を示すラダーチャートである。
図４に示す通信処理は、植物管理装置１ａによる動作は、ＣＰＵ１０及び第１記憶部１１の協働によるソフトウエア処理により実現される処理であり、外部装置２ａによる動作は、ＣＰＵ２０及び第２記憶部２１の協働によるソフトウエア処理により実現される処理である。
【００６０】
まず、外部装置２ａは、第２通信部２３から誘導磁界又は電波を植物管理装置１ａの第１通信部１２に出力し、植物管理装置１ａへの電力供給を開始する（ステップＳ２１）。植物管理装置１ａは、外部装置２ａから供給される電力によって本処理を起動せる（ステップＳ２２）。
【００６１】
外部装置２ａは、植物管理装置１ａのＵＩＤを要求するＵＩＤ要求コマンドを植物管理装置１ａに送信する（ステップＳ２３）。植物管理装置１ａは、ＵＩＤ要求コマンドを受信すると第１記憶部１１に記憶されているＵＩＤを外部装置２ａに送信する（ステップＳ２４）。外部装置２ａは植物管理装置１ａから受信されたＵＩＤを受信する（ステップＳ２５）。
【００６２】
外部装置２ａは、植物管理装置１ａのＵＩＤを受信して当該植物管理装置１ａを識別確認した後、現在時刻を示す情報を植物管理装置１ａに送信する（ステップＳ２６）。植物管理装置１ａは、外部装置２ａから受信した現在時刻を示す情報とクロック発生部１３により発生しているクロックとに基づいて、時刻調整処理を実行する（ステップＳ２７）。
【００６３】
外部装置２ａは、フラグが１に設定されている警告番号を要求する警告番号要求コマンドを植物管理装置１ａに送信する（ステップＳ２８）。植物管理装置１ａは、警告番号要求コマンドを受信すると、第１記憶部１１に記憶されている警告番号フラグテーブル１５１を参照して、フラグが１に設定されている警告番号を外部装置２ａに送信する（ステップＳ２９）。外部装置２ａは植物管理装置１ａから受信された警告番号を受信し、第２記憶部２１に保存する（ステップＳ３０）。
【００６４】
外部装置２ａは、フラグが１に設定されているアドバイス番号を要求するアドバイス番号要求コマンドを植物管理装置１ａに送信する（ステップＳ３１）。植物管理装置１ａは、アドバイス番号要求コマンドを受信すると、第１記憶部１１に記憶されているアドバイス番号フラグテーブル１５２を参照して、フラグが１に設定されているアドバイス番号を外部装置２ａに送信する（ステップＳ３２）。外部装置２ａは植物管理装置１ａから受信されたアドバイス番号を受信し、第２記憶部２１に保存する（ステップＳ３３）。
【００６５】
外部装置２ａは、植物管理装置１ａに記憶されているセンサログを要求するセンサログ要求コマンドを植物管理装置１ａに送信する（ステップＳ３４）。植物管理装置１ａは、センサログ要求コマンドを受信すると、第１記憶部１１に記憶されているセンサログを外部装置２ａに送信する（ステップＳ３５）。外部装置２ａは植物管理装置１ａから受信されたセンサログを受信し、第２記憶部２１に保存する（ステップＳ３６）。また、植物管理装置１ａは、センサログを送信した後、問題傾向を判別するために必要とされる検出値以外の検出値を消去する（ステップＳ３７）。
【００６６】
外部装置２ａは、植物管理装置１ａが問題傾向を判別するために必要とされる検出値以外の検出値を消去した信号を受信すると、第２第２通信部２３から出力している誘導磁界又は電波を停止して植物管理装置１ａへの電力供給を停止する（ステップＳ３８）。植物管理装置１ａは、外部装置２ａから電力供給が停止されると、本処理を終了する。
【００６７】
外部装置２ａは、フラグが１に設定された警告番号又はアドバイス番号の有無を判別し（ステップＳ３９）、フラグ１に設定された警告番号又はアドバイス番号が有ると判別した場合（ステップＳ３９；Ｎｏ）警告番号又はアドバイス番号に対応するメッセージを操作表示部２２に表示し（ステップＳ４０）、本処理を終了する。
【００６８】
外部装置２ａは、フラグ１に設定された警告番号又はアドバイス番号が無いと判別した場合（ステップＳ３９；Ｙｅｓ）、本処理を終了する。
【００６９】
図５（ａ），（ｂ）は、外部装置２ａの操作表示部２２の表示画面上に表示される警告番号又はアドバイス番号に対応するメッセージ画面の例を示す。図５（ａ）は警告番号に対応するメッセージを表示する警告メッセージ画面Ｇ１の例、図５（ｂ）はアドバイス番号に対応するメッセージを表示するアドバイスメッセージ画面Ｇ２の例を示す。
【００７０】
図５（ａ）に示すように、警告メッセージ画面Ｇ１には、異常発生を報知するため「警告」等の異常発生メッセージＭ１と、異常状態の内容、即ち、警告番号に対応する内容を示す警告内容メッセージＭ２とが表示される。警告内容メッセージＭ２としては、例えば、発生した異常状態を判別するために用いられた検出値を検出した検出部の種類や警告番号（ここでは、「（湿度検出部、警告番号００３）」と共に、警告番号に対応する内容（ここでは、「湿度が不足しています」）及び異常状態を解消させるための情報（ここでは、「３０〜５０％に保ってください」）を示すメッセージを挙げることができる。
【００７１】
図５（ｂ）に示すように、アドバイスメッセージ画面Ｇ２には、問題傾向発生を報知するため「注意」等の問題傾向発生メッセージＭ３と、問題傾向の内容、即ち、アドバイス番号に対応する内容を示す問題傾向内容メッセージＭ４とが表示される。問題傾向内容メッセージＭ４としては、例えば、発生した問題傾向を判別するために用いられた検出値を検出した検出部の種類やアドバイス番号（ここでは、「（温度検出部、アドバイス番号００１）」と共に、アドナイス番号に対応する内容（ここでは、「温度が不足しています」）及び問題傾向を解消させるための情報（ここでは、「１５〜２５度が適温です」）を示すメッセージを挙げることができる。
【００７２】
なお、表示画面がカラー表示可能な画面である場合、警告メッセージ画面Ｇ１の異常発生メッセージＭ１と、アドバイスメッセージ画面Ｇ２の問題傾向発生メッセージＭ３とを互いに異なる色で表示したり、点滅させて表示したりすることがユーザに対して視覚的に把握させやすいため好ましい。例えば、異常発生メッセージＭ１の背景色を赤色、問題傾向発生メッセージＭ３の背景色を黄色として表示させる。
【００７３】
以上のように本実施の形態１によれば、植物毎の周辺環境の状態に基づいて判別された栽培状態を報知することができるため、ユーザ自身が植物毎の栽培状態を判断する手間を省くことができると共に、適切な栽培管理をユーザに促すことができる。従って、植物の生育管理に不慣れなユーザであっても、植物の栽培管理を容易に行うことができる。
【００７４】
また、外部装置２ａから供給される誘導電磁界又は電波により生じる電力供給に応じて、検出した各種検出値（センサログ）又は判別された栽培状態（警告番号又はアドバイス番号）を当該外部装置２ａに送信することができる。従って、外部装置２ａとの通信に電力を消費しないため低電力化を図ることができると共に植物管理装置１ａと外部装置２ａとの通信に拘わる構成を簡略化することができ、植物管理装置１ａの小型化を図ることができ、植物の配置位置の自由度を向上させることができる。また、ユーザは、外部装置２ａが受信した各種検出値（センサログ）や判別された栽培状態（警告番号又はアドバイス番号）に基づいて植物の生育環境の管理をし得ることが可能である。
【００７５】
［実施の形態２］
以下、図６〜１０を参照して本発明の実施の形態２を詳細に説明する。
本実施の形態２では、本発明の植物管理装置を生花店等に陳列される植物毎に設けられた園芸用ラベルに適用し、統括管理装置を生花店等に陳列される植物を統括的に管理する店内管理サーバに適用し、通信装置を植物管理装置及び統括管理装置と通信接続可能なハンディターミナルと称される装置に適用した場合について説明する。
【００７６】
まず、構成を説明する。
図６は、本実施の形態２における植物管理システムＡの構成を示すブロック図を示す。
図６に示すように、植物管理システムＡは、植物管理装置１ｂ、通信装置２ｂ、統括管理装置３を備えて構成されている。なお、植物管理システムＡを構成する各装置の数量は、図示例に限定されないものとする。
【００７７】
なお、本実施の形態２における植物管理装置１ｂは、実施の形態１における図１に示す植物管理装置１ａと同様の部分は説明を省略し、異なる部分及び内容のみ説明する。また、本実施の形態２における通信装置２ｂは、実施の形態１における図１に示す外部装置２ａと同様の部分は説明を省略し、異なる部分及び内容のみ説明する。
【００７８】
植物管理装置１ｂは、ＣＰＵ（Central Processing Unit）１０、第１記憶部１１、第１通信部１２、クロック発生部１３、表示灯１４、鳴動部１５、温度検出部１６、湿度検出部１７、照度検出部１８を備え、各部は電気的に接続されており、第１通信部１２を除く各部は第１電源部１９からの電源供給を受けている。また、植物管理装置１ｂは、通信装置２ｂから供給される誘導電磁界又は電波により生じる電力供給に応じて第１通信部１２を介して通信装置２ｂと通信可能に接続される。なお、温度検出部１６、湿度検出部１７、照度検出部１８を総称して検出部という。
【００７９】
ＣＰＵ１０は、温度検出部１６、湿度検出部１７、照度検出部１８により検出された各種検出値（温度、湿度、照度）と予め定められた判別基準情報とに基づいて、植物の栽培状態を判別する第１判別手段としての機能を実現し、当該植物の栽培状態の判別結果に応じた植物の栽培状態を表示灯１４又は鳴動部１５により報知させる機能を実現する。更に、ＣＰＵ１０は、通信装置２ｂから供給される誘導電磁界又は電波により生じる電力供給に応じて、第１記憶部１１に記憶されている各種検出値を第１通信部１２を介して当該通信装置２ｂに送信させる。
【００８０】
ＣＰＵ１０は、植物の栽培状態の判別を行う場合、温度検出部１６、湿度検出部１７、照度検出部１８により検出された各種検出値と、第１記憶部１１に予め記憶されている限界上限閾値及び限界下限閾値と、を比較して現在の植物の栽培状態の異常有無を判別し、現在の植物の栽培状態に異常有りと判別された場合には植物の栽培状態の異常状態を表示灯１４や鳴動部１５を駆動させて報知させる。
【００８１】
第１記憶部１１は、温度検出部１６、湿度検出部１７、照度検出部１８によりそれぞれ検出された各種検出値を時系列に順次記憶、即ち、検出値の履歴（センサログ）として記憶する第１環境情報記憶手段としての機能を実現する。また、植物管理装置１ｂが設けられた植物が生育するために最低限必要とされる周辺環境の状態を示す限界上限閾値及び限界下限閾値を予め記憶している。なお、限界上限閾値及び限界下限閾値は、実施の形態１に記載の限界上限閾値及び限界下限閾値と同様の概念であるため、説明は省略する。
【００８２】
図７は、第１記憶部１１に記憶されている各種データの例を示す。
図７に示すように、第１記憶部１１に記憶されている各種データは、植物管理装置１ｂを一意に識別するための読み取り専用のＩＤとしてのＵＩＤ（Unique Item identification）１１０、植物管理装置１ｂを管理する統括管理装置を識別するための統括管理装置アドレス１７０、閾値情報１２０ｂ、センサログ１４０等である。
【００８３】
閾値情報１２０ｂは、温度検出部１６、湿度検出部１７、照度検出部１８毎に、予め設定された時刻範囲に対して限界下限閾値、限界上限閾値が予め設定されている。例えば、温度検出部１６は時刻０:００〜６:００の範囲において、限界下限閾値は５［℃］、限界上限閾値は２５［℃］に設定されている。
【００８４】
センサログ１４０は、温度検出部１６、湿度検出部１７、照度検出部１８から夫々予め設定された時間間隔で検出された各種検出値が時系列に順次記憶されている。
【００８５】
第１通信部１２は、第１記憶部１１に記憶されている各種検出値を当該通信装置２ｂに送信する通信手段としての機能を実現する。
【００８６】
クロック発生部１３は、実施の形態１と略同様であるため説明は省略する。
【００８７】
表示灯１４は、ＣＰＵ１０による植物の栽培状態の判別結果に応じて、現在の植物の栽培状態に異常有りと判別された場合、植物の栽培状態の異常状態を報知する第１報知手段を実現する。例えば、異常の有無が判別される検出部毎に色や点滅状態が予め設定された複数のＬＥＤ（Light Emitting Diode）を挙げることができる。
【００８８】
鳴動部１５は、ＣＰＵ１０による植物の栽培状態の判別結果に応じて、現在の植物の栽培状態に異常有りと判別された場合、植物の栽培状態の異常状態を報知する第１報知手段を実現する。例えば、異常の有無が判別される検出部毎に鳴動音が予め設定されたブザーを挙げることができる。
【００８９】
温度検出部１６、湿度検出部１７、照度検出部１８は、それぞれ植物の周辺環境の状態を示す環境情報を検出する検出手段としての機能を実現する。温度検出部１６は植物の周辺環境の温度を検出する温度検出手段、湿度検出部１７は植物の周辺環境の湿度を検出する湿度検出手段、照度検出部１８は植物の周辺環境の照度を検出する照度検出手段としての機能を実現している。なお、温度検出部１６、湿度検出部１７、照度検出部１８は互いを識別する識別番号が付されている。
【００９０】
第１電源部１９は、実施の形態１と略同様であるため説明は省略する。
【００９１】
次に、通信装置２ｂの構成を説明する。
通信装置２ｂは、植物管理装置１ｂから各種情報を読み取り可能なハンディターミナル等と呼ばれる装置であり、図６に示すように、ＣＰＵ２０、第２記憶部２１、操作表示部２２、第２通信部２３、第３通信部２５を備え、各部は電気的に接続されており、各部は第２電源部２４からの電源供給を受けている。
【００９２】
ＣＰＵ２０は、第２通信部２３を介して受信した各種検出値を第２記憶部２１に記憶させると共に、統括管理装置３から第３通信部２５を介して受信した警告番号又はアドレス番号に対応したメッセージを操作表示部２２に表示させる。
【００９３】
第２記憶部２１は、実施の形態１と略同様であるため説明は省略する。
【００９４】
操作表示部２２は、ＬＣＤ（Liquid Crystal Display）等の表示画面を備え、ＣＰＵ２０から入力される表示制御信号に従って所要の表示処理を行うと共に、表示画面を覆うように設けられたタッチパネル、電源キー、テンキー、各種機能キー等を有し、キーの押下による操作信号をＣＰＵ２０に出力すると共に、第３通信部２５により受信された警告番号又はアドレス番号に対応したメッセージを表示画面上に表示することにより報知する第２報知手段としての機能を実現する。
【００９５】
第２通信部２３は、植物管理装置１ｂの第１記憶部１１に記憶されている各種検出値の送信を要求する第１送信手段と、植物管理装置１ｂから送信される各種検出値を受信する第１受信手段としての機能を実現する。
【００９６】
第２電源部２４は、実施の形態２と略同様であるため説明は省略する。
【００９７】
第３通信部２５は、所定の通信方式により直接又はネットワークを介して接続される統括管理装置３と通信を行うための通信制御を行い、第２通信部２３により受信した各種検出値を統括管理装置３に送信する第２送信手段と、統括管理装置３から送信される警告番号又はアドバイス番号を受信する第２受信手段としての機能を実現する。
【００９８】
統括管理装置３の構成を説明する。
統括管理装置３は、通信装置２ｂを介して受信した各種検出値を植物管理装置毎に統括的に管理する装置であり、図６に示すように、ＣＰＵ３０、第３記憶部３１、ＤＢ（Data Base）３２、第４通信部３３、操作表示部３４を備え、各部は電気的に接続されて構成されている。
【００９９】
ＣＰＵ３０は、第３記憶部３１又はＤＢ３２の所定領域を作業領域として、第３記憶部３１又はＤＢ３２に記憶されている各種制御プログラムやデータに基づいて各種処理を実行し、上記各部に制御信号を送って統括管理装置３の動作全般を統括的に制御する。
【０１００】
また、ＣＰＵ３０は、第４通信部３３を介して受信した各種検出値（温度、湿度、照度）と予め定められた判別基準情報とに基づいて、当該各種検出値が検出された植物管理装置１ｂが設けられた植物の栽培状態を判別する第２判別手段としての機能を実現し、当該植物の栽培状態の判別結果に応じた植物の栽培状態を第４通信部３３を介して通信装置２ｂに送信させる機能を実現する。
【０１０１】
ＣＰＵ３０は、植物の栽培状態の判別を行う場合、第４通信部３３を介して受信した各種検出値と、第３記憶部３１に予め記憶されている限界上限閾値及び限界下限閾値と、を比較して現在の植物の栽培状態の異常有無を判別する。また、第４通信部３３を介して受信した各種検出値の履歴と、当該検出値の履歴に対応する第３記憶部３１に予め記憶されている最適上限閾値及び最適下限閾値と、を比較して植物の栽培状態の問題傾向を判別する。
【０１０２】
第３記憶部３１は、ＣＰＵ３０により実行される各種制御処理プログラム及びこれらプログラムで使用される各種データ等が予め記憶されている領域と、当該制御処理プログラムや各種データが展開される領域とを有する記録媒体である。第３記憶部３１は、磁気的、光学的記録媒体又は半導体等の電気的に消去及び書き換えが可能な不揮発性メモリで構成されており、統括管理装置３に固定的に設けられたもの又は着脱自在に装着されるものである。例えば、ＦｅＲＡＭ（Ferro electric Random Access Memory）、ＭＲＡＭ（Magneto resistive Random Access Memory）、ＯＵＭ（カルコゲニド合金による相変化記録メモリ）等を挙げることができる。
【０１０３】
ＤＢ３２は、第４通信部３３を介して受信した各種検出値が検出された植物管理装置毎に、当該各種検出値を時系列に順次記憶、即ち、検出値の履歴（センサログ）として記憶する第２環境情報記憶手段としての機能を実現する。
【０１０４】
また、ＤＢ３２は、ＣＰＵ３０により判別された植物の栽培状態を記憶すると共に、判別基準情報として、植物に対応して定められ、当該植物が生育するために最低限必要とされる周辺環境の状態を示す限界上限閾値及び限界下限閾値や、当該植物が生育するために最適な周辺環境の状態を示す最適上限閾値及び最適下限閾値を予め記憶している。なお、限界上限閾値及び限界下限閾値、最適上限閾値及び最適下限閾値は、実施の形態１に記載の限界上限閾値及び限界下限閾値、最適上限閾値及び最適下限閾値と同様の概念であるため、説明は省略する。
【０１０５】
図８（ａ），（ｂ）は、ＤＢ３２に記憶されている各種データの例を示す。
図８（ａ）に、植物の品種毎に設定された各種データの一例を示し、図８（ｂ）に、植物管理装置毎に記憶される各種データの一例を示す。
【０１０６】
図８（ａ）に示すように、植物の品種毎に設定された各種データとしては、植物の品種を示す品種名１８０、閾値情報１２０ａ、報知番号１３０、販売支援データ１６０等である。閾値情報１２０ａ、報知番号１３０、販売支援データ１６０は、実施の形態１の図２に示す閾値情報１２０ａ、報知番号１３０、販売支援データ１６０と略同様であるため、説明は省略する。
【０１０７】
図８（ｂ）に示すように、植物管理装置毎に記憶される各種データとしては、ＵＩＤ１１０、品種名１８０、センサログ１４０、報知フラグ１５０等である。ＵＩＤ１１０、センサログ１４０、報知フラグ１５０は、実施の形態１の図２に示すＵＩＤ１１０、センサログ１４０、報知フラグ１５０と略同様であるため、説明は省略する。
【０１０８】
第４通信部３３は、通信装置２ｂから送信される各種検出値を受信する第３受信手段と、ＣＰＵ３０により判別された栽培状態（警告番号又はアドバイス番号）を通信装置２ｂに送信する第３送信手段としての機能を実現する。第４通信部３３は、所定の通信方式により直接又はネットワークを介して接続される通信装置２ｂと通信を行うための通信制御を行う。
【０１０９】
操作表示部３４は、ＣＲＴ（Cathode Ray Tube）、ＬＣＤ（Liquid Crystal Display）又は有機ＥＬ（Electronic Luminescent）素子を用いた等の表示画面を備え、ＣＰＵ３０から入力される表示制御信号に従って所要の表示処理を行うと共に、表示画面を覆うように設けられたタッチパネルや、テンキー、各種機能キー等のハードキー等を有し、タッチパネルやハードキーが押下されることにより生じる操作信号をＣＰＵ３０に出力する。
【０１１０】
次に、本実施の形態２の動作を説明する。
図９は、本実施の形態２における栽培状態判別処理を示すフローチャートである。
図９に示す栽培状態判別処理は、ＣＰＵ１０及び第１記憶部１１の協働によるソフトウエア処理により実現される処理である。なお、本処理は、予め設定された時間毎に実行されるものである。
【０１１１】
まず、各検出部の現在の時刻に対応する限界下限閾値、限界上限閾値等が読み出される（ステップＳ５１）。
【０１１２】
そして、現在の検出値を取得する検出部の識別番号Ｘの初期化（Ｘ＝０）が行われ、識別番号Ｘに１が加算され（ステップＳ５２）、識別番号Ｘに対応する検出部から現在の検出値が取得される（ステップＳ５３）。
【０１１３】
取得された現在の検出値と読み出された限界下限閾値及び限界上限閾値とが比較され（ステップＳ５４）、現在の検出値が限界下限閾値よりも大きく限界上限閾値よりも小さいか否かが判別される（ステップＳ５５）。
【０１１４】
現在の検出値が限界下限閾値よりも大きく限界上限閾値よりも小さくないと判別された場合、即ち、現在の検出値が限界下限閾値以下又は限界上限閾値以上であると判別された場合（ステップＳ５５；Ｎｏ）、植物の栽培状態に異常有りと判別され、表示灯１４又は鳴動部１５が駆動され、ユーザに植物の栽培状態の異常が報知され（ステップＳ５６）、ステップＳ５７に進む。
【０１１５】
現在の検出値が限界下限閾値よりも大きく限界上限閾値よりも小さいと判別された場合（ステップＳ５５；Ｙｅｓ）、又はステップＳ５６後、検出された現在の検出値がセンサログとして保存される（ステップＳ５７）。
【０１１６】
検出値が検出されていない検出部の有無が判別され（ステップＳ５８）、未検出の検出部が有りと判別された場合（ステップＳ５８；Ｎｏ）、識別番号Ｘに１が加算され（ステップＳ５９）、ステップＳ５３に戻る。
【０１１７】
未検出の検出部無しと判別された場合、即ち、すべての検出部の検出値を取得したと判別された場合（ステップＳ５８；Ｙｅｓ）、本処理は終了される。
【０１１８】
図１０は、本実施の形態２における通信処理を示すラダーチャートである。
図１０に示す通信処理は、植物管理装置１ｂによる動作は、ＣＰＵ１０及び第１記憶部１１の協働によるソフトウエア処理により実現される処理であり、通信装置２ｂによる動作は、ＣＰＵ２０及び第２記憶部２１の協働によるソフトウエア処理により実現される処理であり、統括管理装置３による動作は、ＣＰＵ３０及び第３記憶部３１及びＤＢ３２の協働によるソフトウエア処理により実現される処理である。
【０１１９】
まず、通信装置２ｂは、第２通信部２３から誘導磁界又は電波を植物管理装置１ｂの第１通信部１２に出力し、植物管理装置１ｂへの電力供給を開始する（ステップＳ６１）。植物管理装置１ｂは、通信装置２ｂから供給される電力によって本処理を起動せる（ステップＳ６２）。
【０１２０】
通信装置２ｂは、植物管理装置１ｂのＵＩＤを要求するＵＩＤ要求コマンドを植物管理装置１ｂに送信する（ステップＳ６３）。植物管理装置１ｂは、ＵＩＤ要求コマンドを受信すると第１記憶部１１に記憶されているＵＩＤを通信装置２ｂに送信する（ステップＳ６４）。通信装置２ｂは植物管理装置１ｂから受信されたＵＩＤを受信する（ステップＳ６５）。
【０１２１】
通信装置２ｂは、植物管理装置１ｂのＵＩＤを受信して当該植物管理装置１ｂを識別確認した後、現在時刻を示す情報を植物管理装置１ｂに送信する（ステップＳ６６）。植物管理装置１ｂは、通信装置２ｂから受信した現在時刻を示す情報とクロック発生部１３により発生しているクロックとに基づいて、時刻調整処理を実行する（ステップＳ６７）。
【０１２２】
通信装置２ｂは、植物管理装置１ｂの統括管理装置アドレスを要求する統括管理装置アドレス要求コマンドを植物管理装置１ｂに送信する（ステップＳ６８）。植物管理装置１ｂは、統括管理装置アドレス要求コマンドを受信すると第１記憶部１１に記憶されている統括管理装置アドレスを通信装置２ｂに送信する（ステップＳ６９）。
【０１２３】
通信装置２ｂは植物管理装置１ｂから受信された統括管理装置アドレスを受信する（ステップＳ７０）と、受信した統括管理装置アドレスに対応する統括管理装置３に対してアクセスし（ステップＳ７１）、統括管理装置３との通信接続を確立する（ステップＳ７２）。
【０１２４】
通信装置２ｂは、植物管理装置１ｂに記憶されているセンサログを要求するセンサログ要求コマンドを植物管理装置１ｂに送信する（ステップＳ７３）。植物管理装置１ｂは、センサログ要求コマンドを受信すると、第１記憶部１１に記憶されているセンサログを通信装置２ｂに送信する（ステップＳ７４）。通信装置２ｂは植物管理装置１ｂから受信されたセンサログを受信し、第２記憶部２１に保存する（ステップＳ７５）。また、植物管理装置１ｂは、センサログを送信した後、第１記憶部１１に記憶されているセンサログ（全ての検出値）を消去する（ステップＳ７６）。
【０１２５】
通信装置２ｂは、植物管理装置１ｂがセンサログを消去した信号を受信すると、第２第２通信部２３から出力している誘導磁界又は電波を停止して植物管理装置１ｂへの電力供給を停止する（ステップＳ７７）。植物管理装置１ｂは、通信装置２ｂからの電力供給が停止されると本処理を終了する。
【０１２６】
通信装置２ｂは、第２記憶部２１に記憶したセンサログを統括管理装置３に送信する（ステップＳ７８）。統括管理装置３は、通信装置２ｂからセンサログを受信すると（ステップＳ７９）、センサログの解析を行う（ステップＳ８０）。
【０１２７】
センサログの解析とは、実施の形態１において図３に示す植物管理装置１ａが実行する各種検出部から現在の検出値を検出する動作を除く栽培状態判別処理における警告番号及びアドバイス番号のフラグ設定処理と略同様の処理である。
【０１２８】
即ち、センサログの解析とは、各種検出部のセンサログのうち最新の検出値が図３に示す現在の検出値に相当し、最新の検出値と当該最新の検出値が検出された時刻に対応するＤＢ３２に予め記憶されている限界上限閾値及び限界下限閾値と、を比較して植物の栽培状態の異常有無を判別し、判別した異常状態に該当する警告番号を選択して、選択した警告番号に対応するフラグの設定処理や、また、最新の検出値及び当該最新の検出値と時系列的に連続した複数の検出値の履歴と、当該検出値の履歴に対応するＤＢ３２に予め記憶されている最適上限閾値及び最適下限閾値と、を比較して植物の栽培状態の問題傾向を判別し、判別した問題傾向に該当するアドバイス番号を選択して、選択したアドバイス番号に対応するフラグ設定の処理である。
【０１２９】
統括管理装置３は、センサログの解析が終了すると、解析結果として、フラグが１に設定されている警告番号及びアドバイス番号を通信装置２ｂに送信し（ステップＳ８１）、また、受信したセンサログ及びセンサログの解析結果をＤＢ３２に保存する（ステップＳ８２）。
【０１３０】
統括管理装置３は、受信したセンサログ及びセンサログの解析結果をＤＢ３２に保存した後、通信装置２ｂとの通信接続状態を切断して（ステップＳ８３）、本処理を終了する。
【０１３１】
通信装置２ｂは、統括管理装置３から解析結果を受信し（ステップＳ８４）、統括管理装置３との通信接続状態を切断する（ステップＳ８５）。なお、通信接続状態の切断の処理は、統括管理装置３又は通信装置２ｂの一方が実行することにより必然的に他方も実行されることとなる。
【０１３２】
通信装置２ｂは、受信したセンサログの解析結果を参照して、フラグが１に設定された警告番号又はアドバイス番号の有無を判別し（ステップＳ８６）、フラグが１に設定された警告番号又はアドバイス番号が有ると判別した場合（ステップＳ８６；Ｎｏ）警告番号又はアドバイス番号に対応するメッセージを操作表示部２２に表示し（ステップＳ８７）、本処理を終了する。
【０１３３】
フラグ１に設定された警告番号又はアドバイス番号が無いと判別した場合（ステップＳ８６；Ｙｅｓ）、本処理を終了する。
【０１３４】
なお、通信装置２ｂの操作表示部２２の表示画面上に表示される警告番号又はアドバイス番号に対応するメッセージ画面の例は、実施の形態１の図５に示す例と略同様であるため、図示及び説明は省略する。また、メッセージ画面を統括管理装置３の操作表示部３４に表示させてもよい。
【０１３５】
以上のように、本実施の形態２によれば、植物毎の周辺環境の状態に基づいて判別された栽培状態の異常発生を報知することができるため、ユーザ自身が植物毎の栽培状態を判断する手間を省くことができると共に、適切な栽培管理をユーザに促すことができる。従って、植物の生育管理に不慣れなユーザであっても、植物の栽培管理を容易に行うことができる。
【０１３６】
また、植物管理装置１ｂは、通信装置２ｂから供給される誘導電磁界又は電波により生じる電力供給に応じて、検出した各種検出値（センサログ）を当該通信装置２ｂに送信することができる。従って、通信装置２ｂとの通信に電力を消費しないため低電力化を図ることができると共に植物管理装置１ｂと通信装置２ｂとの通信に拘わる構成を簡略化することができ、植物管理装置１ｂの小型化を図ることができ、植物の配置位置の自由度を向上させることができる。
【０１３７】
更に、植物管理装置１ｂにより検出された各種検出値（センサログ）を通信装置２ｂを介して統括管理装置３が一元的管理することができるため、植物管理装置１ｂの構成を植物の栽培状態の異常発生の有無を判別し報知する最低限の構成に留めることができ、植物管理装置１ｂのメモリ容量が縮小できることから植物管理装置１ｂの小型化及び低コスト化を図ることができる。
【符号の説明】
【０１３８】
１ａ  植物管理装置
１ｂ  植物管理装置
２ａ  外部装置
２ｂ  通信装置
３  統括管理装置
１０  ＣＰＵ
１１  第１記憶部
１２  第１通信部
１３  クロック発生部
１４  表示灯
１５  鳴動部
１６  温度検出部
１７  湿度検出部
１８  照度検出部
１９  第１電源部
２０  ＣＰＵ
２１  第２記憶部
２２  操作表示部
２３  第２通信部
２４  第２電源部
２５  第３通信部
３０  ＣＰＵ
３１  第３記憶部
３２  ＤＢ
３３  第４通信部
３４  操作表示部
１１０  ＵＩＤ
１２０ａ  閾値情報
１２０ｂ  閾値情報
１３０  報知番号
１３１  警告番号テーブル
１３２  アドバイス番号テーブル
１４０  センサログ
１５０  報知フラグ
１５１  警告番号フラグテーブル
１５２  アドバイス番号フラグテーブル
１６０  販売支援データ
１７０  統括管理装置アドレス
１８０  品種名
Ｇ１  警告メッセージ画面
Ｇ２  アドバイスメッセージ画面
Ｍ１  異常発生メッセージ
Ｍ２  警告内容メッセージ
Ｍ３  問題傾向発生メッセージ
Ｍ４  問題傾向内容メッセージ
【図１】
2014076060.tif 000003
【図２】
2014076060.tif 000004
【図３】
2014076060.tif 000005
【図４】
2014076060.tif 000006
【図５】
2014076060.tif 000007
【図６】
2014076060.tif 000008
【図７】
2014076060.tif 000009
【図８】
2014076060.tif 000010
【図９】
2014076060.tif 000011
【図１０】
2014076060.tif 000012
【手続補正書】
【提出日】平成25年12月18日(2013.12.18)
【手続補正１】
【補正対象書類名】明細書
【補正対象項目名】００１０
【補正方法】変更
【補正の内容】
【００１０】
請求項１記載の発明は、周囲環境の管理を行う環境管理装置であって、周囲環境を時系列で順次検出する検出手段と、前記検出手段で検出された周囲環境の検出値をその検出時の時間と対応付けて履歴として記憶手段に記憶するよう制御する第１記憶制御手段と、
前記検出手段で周囲環境の新たな検出値を検出した際は、その検出値と、前記記憶手段に記憶された過去の検出値の履歴と、に基づいて前記周囲環境の問題傾向の有無を判別する判別手段と、前記判別手段で問題傾向があると判別された場合には、その問題傾向の情報も合わせて前記記憶手段に記憶するよう制御する第２記憶制御手段と、前記記憶手段に記憶された検出値の履歴と、前記問題傾向の情報の記憶があればその情報も合わせて外部装置に対して送信する送信手段と、を具備したことを特徴とする。  
【手続補正２】
【補正対象書類名】明細書
【補正対象項目名】００１１
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
周囲環境の管理を行う環境管理装置であって、
周囲環境を時系列で順次検出する検出手段と、
前記検出手段で検出された周囲環境の検出値をその検出時の時間と対応付けて履歴として記憶手段に記憶するよう制御する第１記憶制御手段と、
前記検出手段で周囲環境の新たな検出値を検出した際は、その検出値と、前記記憶手段に記憶された過去の検出値の履歴と、に基づいて前記周囲環境の問題傾向の有無を判別する判別手段と、
前記判別手段で問題傾向があると判別された場合には、その問題傾向の情報も合わせて前記記憶手段に記憶するよう制御する第２記憶制御手段と、
前記記憶手段に記憶された検出値の履歴と、前記問題傾向の情報の記憶があればその情報も合わせて外部装置に対して送信する送信手段と、
を具備したことを特徴とする環境管理装置。
【請求項２】
前記判別手段は、前記検出値と前記記憶手段に記憶された過去の検出値の履歴の他に、更に予め設定された最適環境基準値との比較結果に基づいて、前記問題傾向の有無を判別する、
ことを特徴とする請求項１に記載の環境管理装置。
【請求項３】
前記検出手段で検出された周囲環境の検出値が、予め設定された周囲環境の限界環境値との比較で異常ありか否かを判別する第２判別手段と、
を更に具備し、
前記判別手段は、前記第２判別手段で異常なしと判別された場合に、その時検出された新たな検出値と前記過去の検出値の履歴とに基づいて前記問題傾向の有無を判別する、
ことを特徴とする請求項１あるいは２に記載の環境管理装置。
【請求項４】
前記第２記憶制御手段は、前記第２判別手段で異常ありと判別された場合には、その異常ありの情報も合わせて前記記憶手段に記憶するよう制御し、
前記送信手段は、前記記憶手段に記憶された検出値の履歴と共に前記異常ありの情報を前記外部装置に対して送信する、
ことを特徴とする請求項３に記載の環境管理装置。
【請求項５】
前記第２判別手段で異常ありと判別された場合には、そのことを直ちに報知する報知手段と、
を更に具備したことを特徴とする請求項４に記載の環境管理装置。
【請求項６】
前記送信手段は、前記外部装置から要求があった場合に、前記検出値の履歴と、前記問題傾向の情報があればその情報も合わせて、その要求のあった前記外部装置に対して送信する、
ことを特徴とする請求項１〜５の何れかに記載の環境管理装置。
【請求項７】
前記送信手段は、前記外部装置から当該環境管理装置に対しての電力供給を受けた際に、前記検出値の履歴と、前記問題傾向の情報があればその情報も合わせて、当該外部装置に対して送信する、
ことを特徴とする請求項１〜６の何れかに記載の環境管理装置。
【請求項８】
周囲環境の管理を行う環境管理装置のコンピュータを制御するためのプログラムであって、
前記コンピュータを、
周囲環境を時系列で順次検出する検出手段、
前記検出手段で検出された周囲環境の検出値をその検出時の時間と対応付けて履歴として記憶手段に記憶するよう制御する第１記憶制御手段、
前記検出手段で周囲環境の新たな検出値を検出した際は、その検出値と、前記記憶手段に記憶された過去の検出値の履歴と、に基づいて前記周囲環境の問題傾向の有無を判別する判別手段、
前記判別手段で問題傾向があると判別された場合には、その問題傾向の情報も合わせて前記記憶手段に記憶するよう制御する第２記憶制御手段、
前記記憶手段に記憶された検出値の履歴と、前記問題傾向の情報の記憶があればその情報も合わせて外部装置に対して送信する送信手段、
として機能させるようにしたコンピュータ読み取り可能なプログラム。